(57)【要約】【課題】  小型かつ軽量であり携帯性に優れ、実用的に利用可能な、携帯可能なデジタル放送受信装置を提供する。【解決手段】  記録手段１１７は、トランスポートストリーム（ＴＳ）分離部１０５で分離された映像信号、音声信号、データ信号を記録し、再生手段１１８は、記録された映像信号、音声信号、データ信号のうち、指定された信号を再生する。これにより、放送内容に応じた信号のみを選択して再生でき、記録手段１１７の記録容量を削減できる。【選択図】    図１
2006014225.tif 000002
【特許請求の範囲】
【請求項１】
映像信号、音声信号、データ信号が多重化されたストリームを受信して出力するように構成されたデジタル放送受信装置において、
受信したストリームに含まれる映像信号、音声信号、データ信号を記録する記録手段と、
該記録手段に記録した各信号からの特定の信号を指定する指定手段と、
該指定手段が指定した信号のみを再生する再生手段と、
を備えることを特徴とするデジタル放送受信装置。
【請求項２】
受信したストリームに含まれる映像信号、音声信号、データ信号をそれぞれ分離する分離手段と、を備え、
前記記録手段は前記分離手段で分離した各信号をそれぞれ異なるファイルとして記録し、前記指定手段は前記ファイルを指定し、前記再生手段は当該指定されたファイルを再生することを特徴とする
請求項１記載のデジタル放送受信装置。
【請求項３】
映像信号、音声信号、データ信号が多重化されたストリームを受信して出力するように構成されたデジタル放送受信装置において、
受信したストリームに含まれる映像信号、音声信号、データ信号を記録する記録手段と、
該記録手段に記録した各信号から特定の信号を指定する指定手段と、
該指定手段が指定した信号のみを削除する削除手段と、
を備えることを特徴とするデジタル放送受信装置。
【請求項４】
受信したストリームに含まれる映像信号、音声信号、データ信号をそれぞれ分離する分離手段と、を備え、
前記記録手段は前記分離手段で分離した各信号をそれぞれ異なるファイルとして記録し、前記指定手段は前記ファイルを指定し、前記削除手段は当該指定されたファイルを削除することを特徴とする
請求項３記載のデジタル放送受信装置。
【発明の詳細な説明】
【技術分野】
【０００１】
本発明はデジタル放送が受信可能なデジタル放送受信装置に関する。
より特定的には、本発明はデジタル放送内容を記録し再生可能な装置に関する。
【背景技術】
【０００２】
近年、携帯電話装置に代表される移動体端末装置における電子通信技術の進展は著しく、かつ、利便性に起因してそのような移動体端末装置が多機能化しかつ高機能化し、移動体端末装置の利用範囲が拡大している。多機能化及び高機能化の例としては、たとえば、インターネット接続などの通信機能や、電子メールの機能、ゲーム、音楽再生、ＦＭ放送の受信などがある。
【０００３】
ところで、衛星放送および地上波放送のデジタル化が進み、高画質化や、視聴者参加型のインタラクティブ（対話型）放送、データ放送などが可能なデジタル放送が現実化しており、これまでの音声と映像による放送に加えて、天気予報、株式情報、各種ニュースなどのデータ放送もデジタル化されて放送されるようになっている。
【０００４】
また、テレビチューナーを内蔵している携帯電話機は、たとえば、特許文献１に示すように知られているが、地上波デジタル放送または衛星デジタル放送では、主に、携帯性の高い小型受信機向けに、１または３、セグメントの伝送帯域を使用した放送が予定されている。
【０００５】
かかる状況から、上述したデジタル放送を受信し、再生し、記録可能な装置を、移動体端末装置に代表される携帯電話装置と一体的に統合して１個の装置として構成することが望ましい。
しかしながら、既存の携帯電話装置と、上述したデジタル放送受信装置とを単に合体統合しただけでは、バッテリの電力容量と寿命、記録容量などの制約を克服することができない。
【０００６】
携帯電話装置と、デジタル放送を受信可能な装置とを既存の方法で一体構成した場合を想定したデジタル放送受信装置の構成の１例を、図７を参照して述べる。
アンテナ７１３、送受信部７１４、不揮発性メモリ７１５、カメラ７１６、操作部７１７、マイクロフォン（ＭＩＣ）７１１は、携帯電話装置としての基本的な機能を満足するためのものである。
【０００７】
図７に図解したデジタル放送受信装置の構成について述べる。
放送波を受信するためのアンテナ７０１で放送波を受信し、指定された番組に周波数を合わせるためのチューナー部７０２によりチャンネル選択を行い、チューナー部７０２で抽出された信号を復調部７０３で復調し、復調部７０３からトランスポートストリーム（ＴＳ）を出力する。なお、ＴＳとは、映像信号（ビデオ信号）、音声信号（オーディオ信号）、データ信号ごと多重化された情報である。ＴＳの具体例については、図２を参照して、本発明の実施の形態の説明に関連づけて述べる。
復調部７０３から出力されるトランスポートストリーム（ＴＳ）が暗号化されている場合には、デスクランブラ７０４にて解読を行なう。
解読されたトランスポートストリーム（ＴＳ）はＴＳ分離部７０５にて、それぞれ映像信号、音声信号、データ信号へ分離される。
ＴＳ分離部７０５で分離された映像信号は映像信号復号部７０７でデコード（復号）されて表示部７０９に映像として表示される。ＴＳ分離部７０５で分離された音声信号は音声信号復号部７０６にて復号されてスピーカ７１０から音として出力される。ＴＳ分離部７０５で分離されたデータ信号はデータ信号処理部７０８にて処理をされ表示データに変換されて表示部７０９に文字、数字、図形などの形態で表示される。
制御部７１２は、チューナー部７０２の選局制御を行なったり、携帯電話装置の制御を行う。
【０００８】
上述したデジタル放送受信装置により、デジタル放送の記録を行なう際には、指定された時間に指定された番組を前述の様に再生した映像信号と音声信号を再符号化し記録する方法や、トランスポートストリーム自体を記録することができる。
【特許文献１】特開２０００−９９２０号公報
【発明の開示】
【発明が解決しようとする課題】
【０００９】
しかしながら、移動体用の装置と上述したデジタル放送受信装置とを一体構成しただけでは、下記に述べる課題に遭遇する。
従来のデジタル放送における番組記録方法は、指定された時間に、指定された番組内容の全てをメモリに記録するため、記録のために多くのメモリを必要とする。また、大容量のメモリを必要とする。
かりに多数のメモリまたは大容量のメモリを用いたとしても、バッテリ（蓄電池）の消費電力が大きくなるという問題に遭遇する。
また、内蔵する記録媒体のメモリ容量が小さい場合、結果的に記録時間が短くなり、スポーツ番組など長時間にわたる番組を記録する場合などは、その結果まで記録することが不可能であり、上述した番組を最後まで記録するためには多大なコストのメモリを搭載しなければならないという欠点があった。
また、携帯電話機にように、その装置自身に内蔵される記憶メモリ容量に制限があるような携帯装置において、記録されている番組内容が、音楽番組やニュースなど、データ信号あるいは音声信号だけでよいような記録内容においても、全てを記録していなければならず、映像、音声、データの各信号を個別または複数の信号を消去することができないため、記録メモリを有効に使用することが困難であった。
【００１０】
本発明の目的は、小型かつ軽量であり携帯性に優れ、実用的に利用可能なデジタル放送受信装置を提供することにある。
本発明の他の目的は、好ましくは、上記課題を克服し、移動体用に適したデジタル放送受信装置を提供することにある。
【課題を解決するための手段】
【００１１】
放送における番組（コンテンツ）は、スポーツ、音楽、ドラマ、映画、ニュース、バラエティ、アニメなど多様化してはいるが、映画やドラマ、アニメなど筋だって視聴しないと内容がわからないものもあれば、スポーツやニュースなど結果のみを見れば、途中経過は見なくともよいものもある。
スポーツやニュース番組においては、その結果のみを記録できれば、大半のユーザは満足するものであり、逆に結果を記録できないと大きな不満となるケースが多い。
また、音楽番組などは、記録されたものを後で聞く場合に、映像を必要としないケースも考えられ得る。
このように、放送の番組種別によって、放送内容全てを記録しておく必要があるものと無いものに分かれることが考えられる。
また、映像、音声と同時にデータ放送されている場合には、データは映像、音声の補完的役割をなしていることより（たとえば、野球中継の得点経過など）、データ放送については、必ずしも記録しておく必要はない。
本願発明はかかる放送内容の特性を考慮して、効果的かつ有用性（実用性）の高い、デジタル放送受信装置を提供する。
【００１２】
本発明の第１観点によれば、映像信号、音声信号、データ信号が多重化されたストリームを受信して出力するように構成されたデジタル放送受信装置において、受信したストリームに含まれる映像信号、音声信号、データ信号を記録する記録手段と、該記録手段に記録した各信号からの特定の信号を指定する指定手段と、該指定手段が指定した信号のみを再生する再生手段と、を備えることを特徴とするデジタル放送受信装置が提供される。
【００１３】
好ましくは、受信したストリームに含まれる映像信号、音声信号、データ信号をそれぞれ分離する分離手段と、を備え、前記記録手段は前記分離手段で分離した各信号をそれぞれ異なるファイルとして記録し、前記指定手段は前記ファイルを指定し、前記再生手段は当該指定されたファイルを再生することを特徴とする。
【００１４】
本発明の第２観点によれば、映像信号、音声信号、データ信号が多重化されたストリームを受信して出力するように構成されたデジタル放送受信装置において、受信したストリームに含まれる映像信号、音声信号、データ信号を記録する記録手段と、該記録手段に記録した各信号から特定の信号を指定する指定手段と、該指定手段が指定した信号のみを削除する削除手段と、を備えることを特徴とするデジタル放送受信装置が提供される。
【００１５】
好ましくは、受信したストリームに含まれる映像信号、音声信号、データ信号をそれぞれ分離する分離手段と、を備え、前記記録手段は前記分離手段で分離した各信号をそれぞれ異なるファイルとして記録し、前記指定手段は前記ファイルを指定し、前記削除手段は当該指定されたファイルを削除することを特徴とする。
【発明の効果】
【００１６】
本発明のデジタル放送受信装置によれば、ユーザの利用形態や装置の状態に則した再生形式を選択することができ、また、不要な信号を個別に削除できるようにしたので記録容量を削減することができる。好ましくは、記録容量の少ない携帯端末に有効である。
【発明を実施するための最良の形態】
【００１７】
図面を参照して、デジタル放送を受信して記録し、記録した放送内容のうち希望するものを希望する形式で再出力可能な、本発明のデジタル放送受信装置の好適な実施の形態について述べる。
本発明のデジタル放送受信装置の好適な例示として、当該デジタル放送受信装置と移動体用の装置に代表される携帯電話装置とを統合した装置構成について例示する。本発明に基づき、デジタル放送受信装置（機能）と携帯電話装置とを統合した装置を、以下、放送受信機能付携帯電話装置と呼ぶ。
本発明のデジタル放送受信装置の実施の形態として、放送されている放送波は地上波デジタル放送などを例示する。
【００１８】
第１実施の形態
図１は本発明の第１実施の形態の放送受信機能付携帯電話装置の構成図である。
図１に示す放送受信機能付携帯電話装置１００は、共通部と、携帯電話装置の部分と、デジタル放送受信装置の部分とを備えている。
放送受信機能付携帯電話装置１００は、共通部として、制御部１１２と、ＲＡＭ１２１と、ＲＯＭ１２２と、操作部１１５と、表示部１０９と、記録手段１１７と、スピーカ１１０とを有する。
放送受信機能付携帯電話装置１００は、携帯電話装置の機能を実現する部分として、上記の共通部の他に、携携帯電話用アンテナ１１３と、無線通信部１１４と、マイクロフォン（ＭＩＣ）１１１とを有する。携帯電話装置部分として、必要に応じて、レンズ、ＣＣＤ、焦点自動調整および照度自動調整などの処理を行う調整部などからなるカメラ部分１２６を付加することができる。
放送受信機能付携帯電話装置１００は、デジタル放送受信装置の機能を実現する部分として、上記の共通部の他に、デジタル放送受信用アンテナ１０１と、チューナー部１０２と、復調部１０３と、トランスポートストリーム（ＴＳ）分離部１０５と、音声信号復号部１０６と、映像信号復号部１０７と、データ信号処理部１０８と、記録形式選択手段１１６とを有する。放送受信機能付携帯電話装置１００は、放送内容がスクランブル処理されている場合にデスクランブルするため、必要に応じて、デスクランブラ１０４を付加することができる。
なお、制御部１１２、記録形式選択手段１１６、再生手段１１８、消去手段１１９など信号処理を行う部分は、１個のマイクロコンピュータなどで一体的に構成することができる。
【００１９】
共通部の各構成部分について述べる。
制御部１１２は、たとえば、マイクロコンピュータを用いて実現されており、ＲＯＭ１２２に記憶されている各種プログラムに従って、携帯電話装置としての制御処理と、デジタル放送受信装置としての制御処理を行う。ＲＡＭ１２１は制御部１１２の処理に使用する各種データなどを一時的に記録する。
このように、携帯電話装置の制御手段とデジタル放送受信装置の制御手段とは、制御部１１２、ＲＡＭ１２１、ＲＯＭ１２２を共用することができる。
【００２０】
操作部１１５も、携帯電話装置として使用するための操作と、デジタル放送受信装置として使用するための操作とが共に兼用可能なように構成されている。
携帯電話装置として使用する素子としては、テンキー、ファンクションキー、各種の選択ボタンなどがある。またカメラ部分１２６を有している場合には、カメラ操作スイッチなども含まれる。
デジタル放送受信装置として使用するものとしては、選局のための操作スイッチ、記録形式選択手段１１６を介して記録手段１１７に記録すべき対象、すなわち、全ての信号か、音声信号か、映像信号か、データ信号か、またはこれらの組み合わせかの選択、記録開始時間と終了時間、記録した情報の削除指示、その他があるが、テンキー、ファンクションキーと上記各種の選択ボタンとを兼用して使用することができる。
【００２１】
表示部１０９は、たとえば、携帯電話装置に広く使用されている液晶表示器であり、携帯電話装置の表示手段としての他、デジタル放送受信装置の表示手段として両者に併用する。
【００２２】
スピーカ１１０も同様に、携帯電話装置の音声信号出力手段として、および、デジタル放送受信装置の音声信号出力手段として併用する。
なお、本明細書において、音声信号というときには、音声と各種音響を含む、広い意味での「音の信号」を意味する。
【００２３】
記録手段１１７は、たとえば、不揮発性メモリを用いた内蔵または取り外し可能（交換可能な）メモリであり、デジタル放送受信装置の記録手段として使用する他、携帯電話装置のカメラ部分１１６で撮像した画像、電話機として必要な電話帳データ、着信報知等に必要な着信用サウンドデータ、電子メールのデータ、無線部等を介して無線通信網から受信したデータの保存などに使用可能（共有可能）である。
【００２４】
携帯電話装置の動作
放送受信機能付携帯電話装置１００を携帯電話装置として使用するときの基本動作を述べる。
たとえば、相手の携帯電話装置と通常の会話、電子メールなどを行うとき、携帯電話用アンテナ１１３、無線通信部１１４、操作部１１５、ＭＩＣ１１１と、スピーカ１１０、表示部１０９、制御部１１２、ＲＡＭ１２１、ＲＯＭ１２２が動作する。
さらに、たとえば、インターネットを介してプロバイダから情報をダウンロードしその情報を保存するときは記録手段１１７も動作する。
なお、デジタル放送受信装置が動作していない場合、制御部１１２は、デジタル放送受信装置に係わる部分の電源をオフ状態にするなど省電力化を図る。
【００２５】
ユーザが電話をかけるとき、ユーザが操作部１１５を用いて相手側携帯電話装置の番号にダイヤルして発呼すると、制御部１１２の制御のもとで無線通信部１１４と携帯電話用アンテナ１１３を介して基地局に無線接続され、相手側（被呼側）の電話機（携帯電話装置を含む）に接続されて、ＭＩＣ１１１とスピーカ１１０を用いて通話を行うことができる。
操作部１１５の操作内容、通話状態などが制御部１１２の制御のもとで表示部１０９に表示される。
【００２６】
また、インターネットを介してプロバイダから情報をダウンロードして記録手段１１７に記録するとき、携帯電話用アンテナ１１３、無線通信部１１４を介して無線通信し、得られた情報を制御部１１２を介して記録手段１１７に保存し、保存した情報を制御部１１２から表示部１０９に表示することができる。
【００２７】
携帯電話装置をカメラとして使用するときは、上述したカメラ部分１１６を動作させる。その撮像結果を、たとえば、記録手段１１７に保持することができる。すなわち、放送受信機能付携帯電話装置１００を用いると、記録手段１１７にカメラ部分１２６で撮像した画像を保持することができ、携帯電話装置にデジタルカメラとしての機能を備えることができる。
【００２８】
デジタル放送受信装置の動作
デジタル放送受信用アンテナ１０１はデジタル放送波を常時、連続的に受信し、チューナー部１０２は、操作部１１５で選択されて、制御部１１２から指令されたチャンネルを選局して、選局したチャンネルの放送内容、すなわち、トランスポートストリーム（ＴＳ）を復調部１０３に出力する。
復調部１０３は、選局されたチャンネルのトランスポートストリーム（ＴＳ）を復調する。
【００２９】
復調されたトランスポートストリーム（ＴＳ）にスクランブルがかかっている場合には、デスクランブラ１０４にてスクランブルの解除を行なう。
すなわち、特定のデジタル放送受信装置のみが再生できることを許可する（限定受信方式の暗号化された放送を解読する）ためのデスクランブラ１０４は、トランスポートストリーム（ＴＳ）がスクランブル処理されている場合、制御部１１２の指示のもとで動作してスクランブル処理方式に則したデスクランブル処理を行う。
【００３０】
トランスポートストリーム（ＴＳ）は、例示的なＴＳを図２に図解したように、音声信号と、映像信号と、データ信号と、番組情報とがパケット単位で多重化されている。
たとえば、音声信号と映像信号とはＭＰＥＧ方式で圧縮符号化されている。
【００３１】
上記トランスポートストリーム（ＴＳ）信号は、ＴＳ分離部１０５にて、各パケットごと、映像信号、音声信号（音声／音響信号）、データ信号、番組情報に分離される。
分離された映像信号は、映像信号復号部１０７にて、たとえば、ＭＰＥＧ方式で復号されて映像として表示手段１０９に表示される。
分離された音声信号は、音声信号復号部１０６にて、たとえば、ＭＰＥＧ方式で復号され、音声および／または音響としてスピーカ１１０から出力される。
分離されたデータ信号は、データ信号処理部１０８でその内容を解析し、データ信号の内容が放送サービスに関係しているものである場合には、表示手段１０９などにおいて表示・再生可能なように復号し、表示又は再生を行なう。
【００３２】
デジタル放送受信装置における記録
放送受信機能付携帯電話装置１００のデジタル放送受信装置をデジタル放送を記録装置として使用する場合について述べる。
放送受信機能付携帯電話装置１００に搭載した記録手段１１７は、内蔵固定型で取り外し交換できない場合と、自在に取り外し交換可能な場合との両形態があるが、本実施の形態においては、いずれの形態でもよい。以下、記録手段１１７を交換可能なカード型不揮発性メモリを用いた場合について例示する。
【００３３】
放送における番組種別は、スポーツ、音楽、ドラマ、映画、ニュース、バラエティ、アニメなど多様化してはいるが、映画やドラマ、アニメなど筋だって視聴しないと内容が分からないものもあれば、スポーツやニュースなど結果のみを見れば、途中経過は見なくともよいものもある。
スポーツなどの番組放送においては、試合の開始から終了まで長時間継続して見ていなくとも、試合結果のみを分かれば大半の視聴者は満足するものであり、逆に試合結果を記録できないと大きな不満となるケースが多い。
このように、放送の番組種別によって、放送全てを記録する必要があるものと無いものに分かれることは上述した。
また、映像、音声と同時にデータが放送されている場合には、データは映像、音声の補完的役割をなしていることより、たとえば、野球中継の得点経過など、データ放送については、放送されているデータ信号を常に記録手段１１７に記録する必要はない。
上記の事情に鑑み、本実施の形態においては、ユーザの希望と目的に応じて、記録手段１１７に記録する形式を、記録形式選択手段１１６を設けて、選択可能にした。なお、通常通り、全ての信号を記録できることはいうまでもない。
【００３４】
具体的な記録処理について述べる。
ユーザは操作部１１５を用いて、チャンネル、記録開始時間と記録終了時間、記録すべき対象（形式）、映像信号のみか、音声信号のみか、データ信号のみか、あるいは、映像信号、音声信号およびデータ信号のどの組み合わせなどの記録形式を指定する。その内容が記録手段１１７に保存される。なお、記録開始時間と、記録終了時間は、たとえば、ユーザが開始を指定した時間から終了を指定した時間までとすることができる。また、番組を選択することにより決定されるものでもよい。
【００３５】
制御部１１２と記録形式選択手段１１６とが協動して、形式指定された記録形式に応じて、チューナー部１０２で選局させ、チューナー部１０２で選局されたチャンネルの放送内容についてＴＳ分離部１０５で分離した音声信号、映像信号、データ信号のいずれか、または、その組み合わせを選択して、記録手段１１７に記録する。
すなわち、ユーザが操作部１１５を操作して、選局した放送番組について、映像信号、音声信号、データ信号のうち、どれを記録するかを選択すると、制御部１１２がその選択操作内容を検出し、選択された内容を記録形式選択手段１１６に設定する。
記録形式選択手段１１６は、制御部１１２と協動して、選択された内容（映像信号、音声信号、データ信号）を、たとえば、パケット単位で記録手段１１７へ書き込む。これにより、記録手段１１７に選択された種類のパケット単位の信号を記録することが可能になる。
【００３６】
なお、本実施の形態においては、記録手段１１７に記録する信号は受信したままの信号形態（選択した場合、不要な信号は除かれる）であるから、記録手段１１７における記録処理の負荷は少なくて済む。
また、記録手段１１７として一般的に使用される不揮発性メモリなどの半導体メモリを用いた場合、そのデータアクセス時に大量の電流を消費するので、記録するデータ記録容量を低減することによって、消費電力の低減にもなる。その結果、放送受信機能付携帯電話装置１００のバッテリの寿命も長くなる。
【００３７】
デジタル放送受信装置における再生
次いで、再生処理について述べる。
先ず、記録手段１１７に記録したデータを再生する場合の一般的な処理について説明する。
再生処理においては、再生手段１１８は制御部１１２と協動して下記の処理を行う。
すなわち、再生手段１１８は、ユーザの操作部１１５に対する指示に基づいて、記録手段１１７に記録されたデータの履歴リストを表示部１０９に表示させる。このとき、再生手段１１８は、記録手段１１７に記録されている記録リストを表示部１０９に表示する。なお、この表示に際して、表示部１０９の画面のサイズの制約で一度に全ての履歴リストを表示できないときは、スクロール処理などで表示させる。
【００３８】
ユーザは、表示部１０９に表示されたリストから自分が希望するものを選択する。
再生手段１１８は、選択されたデータを記録手段１１７から読みだして、映像信号を映像信号復号部１０７に、音声信号を音声信号復号部１０６に、データ信号をデータ信号処理部１０８に出力する。
以上により、記録手段１１７に記録された信号のうち、ユーザが希望するものが表示部１０９、スピーカ１１０から出力される。
【００３９】
次に、記録手段１１７に書き込まれたデータについて、各種信号の中から特定の信号を選択して再生する場合の処理について述べる。
なお、再生手段１１８は、本発明の指定手段および再生手段の一実施の形態である。すなわち、再生手段１１８は、信号を指定するためのフィルタ機能と、指定された信号を再生するための再生機能とを有しており、それぞれの機能が本発明の指定手段および再生手段に対応している。
【００４０】
上述したように、記録手段１１７には、トランスポートストリーム（ＴＳ）信号をＴＳ分離して生成された音声信号、映像信号、データ信号のデータが記録されている。この中から、たとえば、データ信号のみを再生させる場合には、制御部１１２によりデータ信号のみが指定され、これに応じて、再生手段１１８は、記録手段１１７に記録されている信号を走査してデータ信号のみを抽出する。
なお、特定の信号の指定は、ユーザの操作部１１５に対する操作に応じて、制御部１１２が再生手段１１８に指示するようにしてもよいし、記録された時刻を指定し、その範囲内でデータ信号のみを抽出することもできる。
抽出したデータ信号は、データ信号処理部１０８を介して表示部１０９に表示されるように、制御部１１２が制御する。
【００４１】
図３は、本実施の形態における再生手段１１８の処理を図解した図であり、（ａ）はデータ信号の抽出処理を、（ｂ）はデジタル放送の放送サービス表示例を、それぞれ示す。
図３（ｂ）は、野球中継番組の放送イメージを表したもので、表示部１０９の表示画面２００の中に、映像を表示するための領域２０１と同時に送られてくる試合の途中などを示すデータを表示する領域２０２に分割して表示した例である。この場合、データの内容は、野球中継番組の補完情報のため、番組の進行状況に同期して表示される。
次に、記録手段１１７に記録されているデータ（番組）からデータ信号のみを再生する場合の動作について説明する。
ユーザから記録手段１１７に記録されているデータ（番組）の再生操作が行われると、番組の進行状況に応じた所定のタイミングで、図３（ｃ）に示すように、再生手段１１８は、記録手段１１７に記録されたトランスポートストリーム（ＴＳ）信号を走査して、映像信号、音声信号、データ信号、番組情報の中から、データ信号のみを抽出する。そして、抽出されたデータ信号は、データ信号処理部１０８を介して表示部１０９の領域２０２に表示されるように、制御部１１２が制御する。なお、領域２０１は、携帯電話の待受画面などどのような表示でも良い。
【００４２】
なお、図３に関連付けてデータ信号のみを抽出する場合について説明したが、データ信号を抽出することは一例であって、映像信号や音声信号等を抽出することができることは言うまでもない。
【００４３】
このように、本実施の形態に係る放送受信機能付携帯電話装置１００によれば、低消費電力で、かつ、ユーザの意向に合わせた再生ができる。
したがって、番組内容等に応じて必要な信号のみを指定して再生させることができるため、再生時のユーザの状況や装置のバッテリ残量等を考慮した使い方ができる。データ信号を指定して再生することは、データ信号を補完情報として利用するスポーツ中継番組から結果を知りたいときなどに好適である。
【００４４】
第２実施の形態
次に、本発明のデジタル放送受信装置の第２実施の形態について述べる。
本実施の形態では、記録手段１１７に書き込まれたデータについて、各種信号の中から特定の２つの信号を選択して再生する場合の処理について述べる。
すなわち、第１の実施の形態に係る放送受信機能付携帯電話装置１００によれば、単一の信号のみを記録手段１１７から抽出して再生する場合について述べたが、本実施の形態に係る放送受信機能付携帯電話装置１００では、特定の２つの信号として、たとえば、音声信号とデータ信号を選択して再生する場合の処理について述べる。
【００４５】
記録手段１１７には、トランスポートストリーム（ＴＳ）信号をＴＳ分離して生成された音声信号、映像信号、データ信号のデータが記録されている。この中から、たとえば、音声信号とデータ信号を再生させる場合には、先ず、制御部１１２により音声信号とデータ信号が指定され、これに応じて、再生手段１１８は、記録手段１１７の記録されている信号を走査して音声信号とデータ信号を抽出する。
なお、信号の指定は、ユーザの操作部１１５に対する操作に応じて、制御部１１２が再生手段１１８に指示するようにしてもよいし、記録された時刻を指定し、その範囲内で音声信号とデータ信号を抽出することもできる。
抽出した音声信号は、音声信号復号部１０６を介してスピーカ１１０より出力され、抽出したデータ信号は、データ信号処理部１０８を介して表示部１０９に表示されるように、制御部１１２が制御する。
その際、データ信号については、所定数の複数のパケットによって１つの表示画面を構成するので、その所定数の複数のパケットを抽出し、１画面分の情報が得られた後に、制御部１１２が表示部１０９を制御して、１画面の内容を表示させる。
【００４６】
図４は、本実施の形態における再生手段１１８の処理を図解した図であり、（ａ）は音声信号とデータ信号の抽出処理を、（ｂ）はデジタル放送の放送サービス表示例を、それぞれ示す。
図４（ｂ）は、天気予報番組の放送イメージを示したもので、映像を表示するための領域２２１に映像を、データを表示する領域２２２にテキストデータで天気予報情報を表示する。この場合のデータの内容は天気予報番組の進行とは必ずしも同期する必要がなく、独立した情報のため、全国の天気予報情報を一度に受信してテキストデータとして表示してもよい。
【００４７】
次に、記録手段１１７に記録されているデータ（番組）から音声信号とデータ信号のみを再生する場合の動作について説明する。
ユーザから記録手段１１７に記録されているデータ（番組）の再生操作が行われると、図４（ａ）に示すように、再生手段１１８は、記録手段１１７に記録されたトランスポートストリーム（ＴＳ）信号を走査して、映像信号、音声信号、データ信号、番組情報の中から、音声信号とデータ信号を抽出する。そして、抽出された音声信号は、音声信号復号部１０６を介してスピーカ１１０より出力され、データ信号は、データ信号処理部１０８を介して表示部１０９の領域２２２に表示されるように、制御部１１２が制御する。その結果、図４（ｃ）に示すように、抽出されたデータ信号は表示部１０９の領域２２２に表示される。
その際、図４（ｃ）に示すデータ信号は、３パケット分で１つの画面を表示するように構成されているので、３パケット分のデータ信号を抽出した後に映像表示がなされる
なお、領域２２１は、携帯電話の待受画面などどのような表示でも良い。
【００４８】
なお、図４に関連付けて音声信号とデータ信号を抽出する場合について説明したが、音声信号とデータ信号を抽出することは一例であって、その他の信号を組み合わせて抽出することができることは言うまでもない。
【００４９】
このように、本実施の形態に係る放送受信機能付携帯電話装置１００によれば、記録したトランスポートストリーム（ＴＳ）信号を分離して得られた複数の信号の中から特定の２つの信号を指定して、再生させることができる。
したがって、番組内容等に応じて必要なデータのみを指定して再生させることができるため、再生時のユーザの状況や装置のバッテリ残量等を考慮した使い方ができる。音声信号とデータ信号を指定して抽出することは、再生内容と同期する必要がない天気予報番組などに好適である。
【００５０】
第３実施の形態
次に、記録手段を共有する携帯電話機の記録手段に合わせて、データ種別毎（例えばフォルダ）にファイルを保存する記録手段を例にして説明する。
本実施の形態に係る放送受信機能付携帯電話装置１００は、トランスポートストリーム（ＴＳ）信号に含まれる音声信号、映像信号、データ信号をそれぞれ別のファイルとして記録し、これらのファイルをユーザが後に個別に指定することによって再生することを企図するものである。
【００５１】
具体的には、ＴＳ分離部１０５がトランスポートストリーム（ＴＳ）信号を音声信号、映像信号、データ信号に分離し、制御部１１２は、分離した各信号毎にファイルを生成する。さらに、制御部１１２は、生成したファイルを記録手段１１７に記録する。
その際、生成したファイルを関連付けて記録手段１１７に記録する。たとえば、音楽番組の放送から得られたデータであれば、映像信号のファイルと音声信号のファイルとデータ信号のファイルを関連付けて記録する。
記録手段１１７に記録されたファイルは、ユーザが操作部１１５を介してファイルを指定することにより、個別でもまたは関連する全てでも再生させることができる。すなわち、制御部１１２は、ユーザにより指定されたファイルを再生手段１１８に通知し、これに応じて、再生手段１１８は、記録手段１１７から指定されたファイルを取り出して再生する。
【００５２】
図５は、本実施の形態における再生手段１１８の処理を図解した図であり、（ａ）はファイル生成処理を、（ｂ）はデジタル放送の放送サービス表示例を、それぞれ示す。
図５（ｂ）は、音楽番組の放送をイメージしたもので、映像を表示する領域２１１に映像を表示し、データを表示する領域２１２に映像に同期して現在、歌っているアーティスト名と曲名をテキストデータにて表示している。この場合、データ信号は番組の補完情報であるため、音楽番組の進行状況に同期して表示される。
次に、放送波に含まれるトランスポートストリームから記録手段１１７に記録する処理から説明する。
本実施の形態に係る放送受信機能付携帯電話装置１００では、先ず、図５（ａ）に示すように、ＴＳ分離部１０５がトランスポートストリーム（ＴＳ）信号を音声信号、映像信号、データ信号等に分離するとともに、制御部１１２は、分離した各信号毎にファイルを生成する。図５（ａ）に示す例では、音声信号のファイルとデータ信号のファイルが生成されている。
これらのファイルは、相互に関連付けられて記録手段１１７に記録される。
【００５３】
そして、後に、ユーザが操作部１１５を介してファイルを指定すると、制御部１１２は、ユーザにより指定されたファイルを再生手段１１８に通知し、これに応じて、再生手段１１８は、記録手段１１７から指定されたファイルを取り出して再生する。すなわち、音声であれば対応する音声がスピーカ１１０から出力され、データ放送のデータファイルであれば、対応するデータが表示部１０９の領域２１２に表示される。
【００５４】
このように、本実施の形態に係る放送受信機能付携帯電話装置１００によれば、受信したトランスポートストリーム（ＴＳ）信号を分離して得られた複数の信号からそれぞれファイルを生成し、ユーザは、生成されたファイルを後に個別に再生させることができる。
したがって、ユーザは、必ずしも映像表示を必要としない音楽番組放送等の音声信号とデータ信号を、後で再生（視聴）することができる。また、その際、音声信号のファイルのみを指定できることは言うまでもない。
【００５５】
第４実施の形態
第１の実施の形態に係る放送受信機能付携帯電話装置１００の説明では、トランスポートストリーム（ＴＳ）信号に含まれる音声信号、映像信号、データ信号をそれぞれ記録手段１１７に記録する処理について述べたが、記録されたこれらの信号のうち、特定の信号を選択して削除することができる。したがって、記録手段１１７の記録容量を最大限活用することができる。
【００５６】
具体的に、記録手段１１７に記録したデータを消去するためには、消去手段１１９を用いる。消去手段１１９は制御部１１２と協動して下記の処理を行う。
すなわち、ユーザが操作部１１５を用いて、記録手段１１７に記録されたデータ信号の履歴リストを表示部１０９に表示させた時に、消去手段１１９は、記録手段１１７に記録されている記録リストを表示部１０９に表示する。なお、この表示に際して、表示部１０９の画面のサイズの制約で一度に全ての履歴リストを表示できないときは、スクロール処理などで表示させる。
ユーザは、表示部１０９に表示されたリストから自分が消去を希望する信号を選択する。
消去手段１１９は選択された信号を記録手段１１７から消去する処理を行い、消去された部分を記録可能領域に設定する。
なお、消去手段１１９は、本発明の削除手段の一実施の形態である。
【００５７】
図６は、本実施の形態に係る消去処理を説明するための図であり、（ａ）は消去手段１１９の処理を、（ｂ）はデジタル放送の放送サービス例を、それぞれ示す。図６（ｂ）は、ニュース番組の放送イメージを示したもので、現在説明している映像を領域２３１に表示し、データを表示する領域２３２には、そのニュース番組で放送するニュースの一覧が表示される。なお、この場合のデータの内容は、番組の進行とは必ずしも同期する必要がなく、独立した情報のため、ニュースキャスターがニュースの説明をする前に表示しておいてもよい。
このようなニュース番組は、映像信号がない場合であっても、音声信号とデータ信号があれば、十分な情報伝達機能を発揮する場合が多い。したがって、大きな記録容量を要する映像信号を消去し、対応する記憶領域を他の用途に開放することで、記録手段１１７を有効に利用することができる。
したがって、本実施の形態に係る放送受信機能付携帯電話装置１００によれば、図６（ａ）に示すように、記録手段１１７に記録しているデータ（番組）に対応するトランスポートストリーム（ＴＳ）信号の中から映像信号のみを選択して消去することで、より多くの記録容量を確保することができる利益がある。
なお、映像信号に限らず、他の信号についても消去することは可能であるが、大きな記録領域を要する映像信号を消去することが、記録手段１１７にとって最も望ましい。
【００５８】
なお、データを指定しない場合でも、ニュースなど、即時性を要する情報、時間的に有効期限のある情報についてのデータは、所定の時間経過後、自動的に消去させるように構成することもできる。
また、記録手段１１７に記録させるべき内容にクラス（優先度）を付けておき、より低いクラス（カテゴリでもよい）のデータ信号を消去するように構成することもできる。
【００５９】
第５実施の形態
第３実施の形態に係る放送受信機能付携帯電話装置１００では、トランスポートストリーム（ＴＳ）信号に含まれる音声信号、映像信号、データ信号をそれぞれファイルとして関連付けて記録手段１１７に記録するが、これらの記録されたファイルは、ファイル毎に消去することができる。これにより、記録手段１１７の記録容量を最大限活用することができる。
【００６０】
具体的に、記録手段１１７に記録したファイルを消去するには、消去手段１１９を用いる。消去手段１１９は制御部１１２と協動して下記の処理を行う。
ユーザは操作部１１５を用いて、記録手段１１７に記録されたファイルの履歴リストを表示部１０９に表示させる。このとき、消去手段１１９は、記録手段１１７に記録されている記録リストを表示部１０９に表示する。なお、この表示に際して、表示部１０９の画面のサイズの制約で一度に全ての履歴リストを表示できないときは、スクロール処理などで表示させる。
ユーザは表示部１０９に表示されたリストから自分が消去を希望するファイルを選択する。
消去手段１１９は選択されたファイルを記録手段１１７から消去する処理を行い、消去された部分を記録可能領域に設定する。
【００６１】
たとえば、第３実施の形態で示した図５（ａ）の例では、音声信号のファイルとデータ信号のファイルが記録手段１１７に記録されるが、ユーザは、これらのファイルを指定して消去することができる。ユーザがデータ信号が不要と判断すれば、データ信号のファイルのみを消去することで、その分の記録領域を開放させることができる。
したがって、本実施の形態に係る放送受信機能付携帯電話装置１００によれば、第５実施の形態に係る放送受信機能付携帯電話装置１００と同様に、より多くの記録容量を確保することができる利益がある。
【００６２】
第６実施の形態
第１乃至第５実施の形態の説明では、データ単位またはファイル単位で記録、再生または削除を行うことができる放送受信機能付携帯電話装置１００について述べてきたが、映像信号がマルチチャンネル（マルチアングル）に対応して複数の映像信号を記録している場合も、同様にデータ／ファイルの記録、再生または削除を行うことができる。
すなわち、マルチアングルの映像信号については、アングル毎の映像データがそれぞれ別個のデータとして分離することができるので、それぞれのアングルの映像データについて再生／削除を行うことができる。
また、副音声の音声データについても、主音声の音声データとは別個のデータとして分離することができるので、副音声の音声データのみの再生／削除も行うことができる。
【００６３】
本発明の実施に際しては、上述した各実施の形態を適宜組み合わせることができる。また、上述した実施の形態は本発明の例示にすぎず、本発明が上述した実施の形態に限定されるわけではない。
【図面の簡単な説明】
【００６４】
【図１】図１は本発明のデジタル放送受信装置の第１実施の形態として、携帯電話装置とデジタル放送受信装置を統合した場合の装置（放送受信機能付携帯電話装置）の構成図である。
【図２】図２はトランスポートストリーム（ＴＳ）信号の１例を示す図である。
【図３】図３は実施の形態に係る再生処理を説明するための図であり、（ａ）はデータの抽出処理を、（ｂ），（ｃ）はデジタル放送の放送サービス表示例を、それぞれ示す。
【図４】図４は実施の形態に係る再生処理を説明するための図であり、（ａ）はデータの抽出処理を、（ｂ），（ｃ）はデジタル放送の放送サービス表示例を、それぞれ示す。
【図５】図５は実施の形態に係る再生処理を説明するための図であり、（ａ）はファイル生成処理を、（ｂ）はデジタル放送の放送サービス表示例を、それぞれ示す。
【図６】図６は実施の形態に係る消去処理を説明するための図であり、（ａ）は消去処理を、（ｂ）はデジタル放送の放送サービス表示例を、それぞれ示す。
【図７】図７は想定した従来技術における放送受信装置の構成図である。
【符号の説明】
【００６５】
１００、１００Ａ、１００Ｂ…放送受信機能付携帯電話装置
１０１…デジタル放送受信用アンテナ、１０２…チューナー部
１０３…復調部、１０４…デスクランブラ、１０５…ＴＳ分離部
１０６…音声信号復号部、１０７…映像信号復号部
１０８…データ信号処理部、１０９…表示部、１１０…スピーカ
１１１…マイクロフォン（ＭＩＣ）、１１２…制御部
１１３…携帯電話用アンテナ、１１４…無線通信部
１１５…操作部、１１６…記録形式選択手段
１１７…記録手段、１１８…再生手段、１１９…消去手段
１２６…カメラ部分
１００…放送受信機能付携帯電話装置
【図１】
2006014225.tif 000003
【図２】
2006014225.tif 000004
【図３】
2006014225.tif 000005
【図４】
2006014225.tif 000006
【図５】
2006014225.tif 000007
【図６】
2006014225.tif 000008
【図７】
2006014225.tif 000009